(57)【特許請求の範囲】
【請求項１】
踵骨を叩くことで刺激を与える繰り返し打撃手段を有し、
上記繰り返し打撃手段は、上記踵骨の後方下方から略４５°の角度で当該踵骨の後方を叩く
ことを特徴とするマッサージ機。
【請求項２】
踵骨を叩くことで刺激を与える繰り返し打撃手段を有し、
ふくらはぎに対して叩く、揉む、振動を与えるのうちのいずれかの施術を行うふくらはぎマッサージ手段をさらに備えた
ことを特徴とするマッサージ機。
【請求項３】
踵骨を叩くことで刺激を与える繰り返し打撃手段を有し、
足裏の膵臓の反射区を押圧する押圧手段をさらに備えた
ことを特徴とするマッサージ機。
【請求項４】
請求項１から３のいずれかに記載のマッサージ機と、
血中グルコース濃度のリアルタイム測定器と
を備えた
ことを特徴とする血糖値管理システム。
【発明の詳細な説明】
【技術分野】
【０００１】
この発明は、主に踵に対して刺激を与えるマッサージ機に関する発明である。また、当該マッサージ機を用いた血糖値の管理システムに関する発明である。
【背景技術】
【０００２】
古来より、青竹ふみにより土踏まずを刺激することで、健康増進効果があることが知られている。土踏まずには多くのツボがあり、また血行促進の効果もあると考えられている。
また、ふくらはぎをマッサージすることで、全身の血行改善効果があることも周知になっている。
【０００３】
このようなことから、足裏やふくらはぎのマッサージ機も開発されている。
例えば、使用者の下肢を空気の圧力を用いてマッサージするエアマッサージ部と、前記使用者の足裏に対して振動する施療子を押し付けて足裏のマッサージを行う足裏マッサージ部とを有するマッサージ機が提案されている（例えば、特許文献１）。
【先行技術文献】
【特許文献】
【０００４】
【特許文献１】特許第６１２９６３８号
【発明の概要】
【発明が解決しようとする課題】
【０００５】
しかしながら、これまでの足裏やふくらはぎのマッサージ機は、血液やリンパの流れを良くしたり、健康回復を目的としたりするものであり、具体的な疾患の治療、改善、あるいは予防効果を示すものではなかった。
【０００６】
本発明においては、様々な具体的な治癒、予防効果等を有するマッサージ機を提供するものであり、特に血糖値の低減効果を有するマッサージ機、および、当該マッサージ機を用いた血糖値の低減方法を提供するものである。
【課題を解決するための手段】
【０００７】
本発明に係るマッサージ機は、血糖値のコントロールを目的とするマッサージ機であって、踵骨を叩くことで刺激を与える繰り返し打撃手段を有するものである。
【０００８】
そして、上記繰り返し打撃手段は、上記踵骨の後方下方から略４５°の角度で当該踵骨の後方を叩くものである。
【０００９】
あるいは、ふくらはぎに対して叩く、揉む、振動を与えるのうちのいずれかの施術を行うふくらはぎマッサージ手段をさらに備えたものである。
【００１０】
あるいは、足裏の膵臓の反射区を押圧する押圧手段をさらに備えたものである。
【００１１】
そして、本発明の血糖値管理システムは、上記に記載のいずれかのマッサージ機と、血中グルコース濃度のリアルタイム測定器とを備えたことを特徴とするものである。
【発明の効果】
【００１２】
これまでのマッサージ機は、主に土踏まずに刺激を与えるものがほとんどであり、その刺激も振動が主体であった。すなわち、足裏表面に平行な方向の振動を与えるものであった。作用としては、血行を促進し、またツボに刺激を与えるものであった。
【００１３】
本発明は、土踏まずではなく、踵骨を刺激する踵刺激手段を主とする施術を行うマッサージ機を提供するものである。例えば、踵に対して略垂直方向に打撃を与えるものである。この打撃力はある程度の強さを持ち、また、その周波数も一定以上の比較的速い上下動である。作用としては、踵骨に衝撃等の刺激を与えるものである。踵骨を刺激する刺激としては、打撃以外に、踵に対する超音波印加、踵に対する電流印加、あるいは踵に対する電磁場印加も有効である。
また、踵骨だけではなく、下顎骨、耳下部の翳風、あるいは、手のひら下方中央の手根骨に対する刺激も同様に有効である。
このように、これまでのマッサージ機とは、動作や作用、目的が全く異なり、したがって、以下に述べるように、これまでのマッサージ機では得られなかった具体的且つ明確な効果が得られる。
【００１４】
この施術の効果として特筆すべきことは、血糖値を低減できることである。空腹時の血糖値を低下させ、また、食後の血糖値の上昇幅を小さくし、そして、その後の血糖値の低下を速やかにすることができる。このように、血糖値をコントロールすることが可能である。
【００１５】
踵骨を刺激する踵刺激手段による施術を単独で行うだけでも、有意な血糖値低減効果が得られるが、ふくらはぎのマッサージや、腎臓の反射区の押圧と組み合わせると、さらに効果を高めることができる。
また、施術前に酵素浴等の身体活性化を行うことでも、血糖値低減効果をより顕著にすることが可能である。
【００１６】
さらに、以下の諸症状に関しても、改善効果が得られる可能性を示すことができた。
例えば、物忘れ、眼精疲労やかすみ目、頻尿、疲労回復、手足や顔等ののむくみ、性的欲求、肌質といった項目についての改善である。
【図面の簡単な説明】
【００１７】
【図１】本発明のマッサージ機の全体斜視図である。
【図２】本発明のマッサージ機の足裏マッサージ部の上面図である。
【図３】検証実験のフロー図である。
【図４】検証実験３の結果を示すグラフである。
【図５】検証実験４の結果を示すグラフである。
【図６】検証実験５の結果を示すグラフである。
【図７】検証実験６の結果を示すグラフである。
【図８】検証実験７の結果を示すグラフである。
【図９】検証実験８の結果を示すグラフである。
【図１０】検証実験９の結果を示すグラフである。
【図１１】検証実験１０の結果を示すグラフである。
【図１２】実施の形態２の座席において用いるマッサージ機の模式図である。
【図１３】実施の形態３の踵に対する打撃角度を示す図である。
【図１４】検証実験１１の結果を示すグラフであり、踵を下方より垂直に打撃した場合の血糖値変化を示している。
【図１５】検証実験１１の結果を示すグラフであり、踵を後方より45°で打撃した場合の血糖値変化を示している。
【図１６】実施の形態４の足の打撃部位を示す図である。
【図１７】実施の形態４の手のひらの打撃部位を示す図である。
【図１８】検証実験１３の結果を示すグラフであり、手のひらの下部中央を打撃した場合の血糖値の変化を示している。
【図１９】実施の形態４の顔および肩の打撃部位を示す図である。
【図２０】検証実験１４の結果を示すグラフであり、耳の下部を打撃した場合の血糖値の変化を示している。
【図２１】検証実験１４の結果を示すグラフであり、あごを打撃した場合の血糖値の変化を示している。
【発明を実施するための形態】
【００１８】
本発明のマッサージ機に関して、良好な実施の形態を以下に図を用いて説明する。
なお、本発明は以下に示す実施の形態に限定されるものではなく、同様の発明概念を含むものである。
【００１９】
実施の形態１．
＜マッサージ機の構成＞
まず、図１および図２を用いて、マッサージ機の構成について説明する。図１は、マッサージ機の全体斜視図であり、図２は、足裏マッサージ部２の部分上面図である。
本発明に係るマッサージ機は、足の概略位置を規定する足挿入部１と、足挿入部１の底面に設けられた踵を叩く繰り返し打撃手段２ａを有するものである。
【００２０】
また、本発明に係るマッサージ機は、叩く、揉む、振動を与えるのうちのいずれかの施術を行うふくらはぎマッサージ手段３をさらに備えたものである。
さらに、本発明に係るマッサージ機は、足挿入部１の底面に設けられた膵臓の反射区を押圧する押圧手段２ｂをさらに備えたものである。
【００２１】
＜マッサージ機の施術方法＞
このマッサージ機による施術方法について説明する。まず、椅子に腰かけ、両足を足挿入部１に挿入する。足挿入部１は、人の足の形態に合った内形をしており、内壁にはクッション部２ｃが設けられ、足を包むように固定する。したがって、概ね足の位置は規定される。例えば、図２に示すように、足裏マッサージ部２において、踵が打撃手段２ａの上に、土踏まずにある膵臓の反射区が押圧手段２ｂの上になるように、足の位置が決められる。
【００２２】
打撃手段２ａは足挿入部１の底面に設けられ、上下方向に運動することで、踵を繰り返し叩くものである。踵を叩くことで、足の骨格に刺激が与えられる。後述するように、この打撃手段２ａは、比較的速い繰り返しの上下運動であり、また、強い打撃でもある。
【００２３】
押圧手段２ｂは、膵臓の反射区に圧力を加えるものであり、ツボの指圧に相当する効果がある。
【００２４】
ふくらはぎマッサージ手段３は、例えば、叩く、振動を与える、揉むといった動作であり、いずれであっても良い。
叩く動作は、上述の打撃手段２ａと同様の動作である。
振動は、ふくらはぎ表面に対して平衡に動く動作である。
また、揉む動作は、例えば、エアバックによりふくらはぎを挟み込み、圧力を変化させて、ふくらはぎを揉む動作を行う。ふくらはぎを下から上に揉むような動作が特に望ましい。
いずれの動作も、血行を促進することで、打撃手段２ａによる踵叩きにより生じる効果を助長するものである。
【００２５】
打撃手段２ａによる踵叩き、押圧手段２ｂによる反射区の押圧、ふくらはぎマッサージ手段３によるマッサージは、全て同時に行っても良い。より効果的には、ふくらはぎマッサージ手段３によるマッサージによって血行を促進した後に、他の施術を行うことが望ましい。
全体の施術時間としては、１回あたり５分から１０分程度が適当であり、食前や食後に行うことが効果的である。
【００２６】
＜効果検証実験＞
このマッサージ機を用いた施術が血糖値に与える効果について、検証するための４つの実験を行った。
第一の検証実験は、打撃手段２ａによる踵叩き、押圧手段２ｂによる反射区の押圧、ふくらはぎマッサージ手段３によるマッサージの３つの施術それぞれの血糖値の低減効果の確認である。
【００２７】
第二の検証実験は、施術前に、予め身体を活性化させる等の付随的措置を行った場合について、血糖値の低減効果に影響があるかを確認するものである。
【００２８】
第三、および第四の検証実験は、打撃手段２ａにより踵を叩く施術の最適条件を求めるためのものである。
【００２９】
これらの検証実験においては、男女各３名の計６名（以下、被検査人と言う）に対して、施術の効果を調べた。この６名は、いずれも空腹時血糖値が１２６を超える者である。施術方法や施術条件等を変えて、この６名の血糖値を計測し、６名の血糖値の平均値を指標とした。
【００３０】
具体的には、図３に示す検証実験のフローに従って実験を行った。
まず、検査前日の夕食の前後で施術を行う。検査当日は、起床時の空腹時に血糖値を測定し、その後、朝食前に施術を実施する。さらに、朝食後に施術を実施する。そして、朝食３０分間経過時と、９０分経過時にそれぞれ血糖値を測定する。
検査翌日は施術を行わず、施術前の通常の血糖値の状態に戻るように、施術の効果をリセットする。
【００３１】
以上、３日間がひとつの条件の施術に対するものである。次の３日間に、別の条件の施術を行う。このようにして、各施術に対する血糖値の影響を順に調べた。
【００３２】
（検証実験１）
打撃手段２ａによる踵叩き、押圧手段２ｂによる腎臓の反射区の押圧、ふくらはぎマッサージ手段３によるマッサージの３つの施術それぞれの血糖値に対する影響、および施術の組み合わせによる血糖値に対する影響を検証するため、以下の７つの試験区で血糖値を計測した。
【００３３】
試験区Ａ：コントロール（施術無し）
試験区Ｂ：打撃手段２ａによる踵叩き（周波数：２５Ｈｚ、打撃力：８ｋｇ重）
試験区Ｃ：ふくらはぎマッサージ手段３によるマッサージ
試験区Ｄ：押圧手段２ｂによる腎臓の反射区の押圧
試験区Ｅ：打撃手段２ａによる踵叩き、および、ふくらはぎマッサージ手段３によるマッサージ
試験区Ｆ：ふくらはぎマッサージ手段３によるマッサージ、および、押圧手段２ｂによる腎臓の反射区の押圧
試験区Ｇ：打撃手段２ａによる踵叩、ふくらはぎマッサージ手段３によるマッサージ、および、押圧手段２ｂによる腎臓の反射区の押圧
【００３４】
検証実験結果を下表に示す。
【表１】
0006963227.tif 000002
【００３５】
ふくらはぎマッサージ手段３によるマッサージ（試験区Ｃ）、および、押圧手段２ｂによる腎臓の反射区の押圧（試験区Ｄ）は、コントロール（試験区Ａ）と比較して、有意な差はなく、血糖値の減少効果は見られなかった。
【００３６】
打撃手段２ａによる踵叩き（試験区Ｂ）は、起床時に測定した空腹時の血糖値が低くなり、また、朝食後の血糖値減少も速やかであり、明らかに血糖値の減少効果を確認できた。
【００３７】
打撃手段２ａによる踵叩きだけではなく、ふくらはぎマッサージ手段３によるマッサージを組み合わせた場合（試験区Ｅ）には、さらに効果は顕著になった。
打撃手段２ａによる踵叩きに、押圧手段２ｂによる腎臓の反射区の押圧を組み合わせた場合（試験区Ｆ）も、打撃手段２ａによる踵叩き（試験区Ｂ）のみの施術よりも効果が高まった。ただし、試験区Ｅに比べると、その効果は劣っていた。
【００３８】
３つの施術全てを組み合わせて行った試験区Ｇは、最も顕著な血糖値の減少が確認できた。
【００３９】
以上より、打撃手段２ａによる踵叩きを行うことで、空腹時血糖値の減少、および、食事後の速やかな血糖値減少が生じることを確認できた。
また、打撃手段２ａによる踵叩きに加えて、ふくらはぎマッサージ手段３によるマッサージや押圧手段２ｂによる腎臓の反射区の押圧を併せて行うことで、効果がより高まることも確認できた。
【００４０】
（検証実験２）
打撃手段２ａによる踵叩きが、血糖値の減少に有意な効果があることが分かった。この施術を行う前日に、身体を活性化する取り組みを行うことで、さらに効果が高まるかについて検討を行った。
【００４１】
身体を活性化する取り組みとして、酵素浴３０分（試験区Ｂ−１）と熱めの湯に入浴３０分（試験区Ｂ−２）という２種を行った。
【００４２】
検証実験結果を下表のとおりである。
【表２】
0006963227.tif 000003
【００４３】
酵素浴（試験区Ｂ−１）が最も効果があり、打撃手段２ａによる踵叩きの施術を行う前に、身体を活性化させることで、施術効果を高めることができることを確認できた。
また、熱めの湯に入浴３０分（試験区Ｂ−２）を行うことも、有意な効果を確認できた。
【００４４】
（検証実験３）
打撃手段２ａによる踵叩きの施術に関して、踵叩きの周波数依存性について実験を行った。周波数は、０．１Ｈｚから３２０Ｈｚの間で変化させた。叩きの打撃力は８ｋｇ重である。なお、叩きの打撃力が４ｋｇ重、１６ｋｇ重、３２ｋｇ重、６４ｋｇ重の場合も同様の周波数依存性を示した。
実験結果を図４に示す。
【００４５】
周波数が０．３２Hｚ以下の場合には、施術を行わない場合よりも血糖値は減少したが、効果は小さかった。
周波数が０．８Ｈｚ以上、２００Ｈｚ以下では、空腹時の血糖値が十分に減少し、食事後の血糖値低下も速やかであった。
【００４６】
（検証実験４）
打撃手段２ａによる踵叩きの施術に関して、踵叩きの打撃力依存性について実験を行った。打撃力は、０．５ｋｇ重から６４ｋｇ重の間で変化させた。叩きの周波数は２５Ｈｚである。なお、叩きの周波数が０．８Ｈｚ、２００Ｈｚの場合も同様の打撃力依存性を示した。
実験結果を図５に示す。
【００４７】
打撃力が４ｋｇ重以上で良好な血糖値減少を確認できた。
ただし、打撃力が５０ｋｇ重を超えた場合には、被検査人のうち２名が、施術後に軽い足の痛みを訴えた。痛みは直ぐになくなり、正常な状態に回復したが、５０ｋｇ重を超えるという大きな打撃力は不必要であり、本実験結果より、実用上の適切な打撃力は４ｋｇ重以上、５０ｋｇ重以下と判断できた。
【００４８】
（検証実験１から４に関する考察）
以上の検証実験より、踵を打撃することが血糖値を制御する有効な手段であるという結果を得た。これは、踵、すなわち、踵骨に対する打撃という刺激を与えることが、血糖値の低減に関係している可能性を示唆していると考えられる。
そこで、踵骨に対する打撃以外の刺激も、血糖値に影響を与えるかどうかを確認するため、さらに追加の検証実験を行った。
【００４９】
踵骨に対する打撃以外の刺激として、超音波、交流電流、および交流電磁場の印加を踵に対して行った。以下において、超音波に関しては検証実験５と６に、交流電流に関しては検証実験７と８に、交流電磁場に関しては、検証実験９と１０に、その結果を示す。
なお、実験の方法に関しては、検証実験３および４と同様であり、踵に与える刺激手段が異なるのみである。
【００５０】
（検証実験５）
超音波印加手段による踵に対する刺激に関して、超音波の周波数依存性について実験を行った。超音波は圧電素子を用いて発生させ、周波数は、０．２MＨｚから４．５MＨｚの間で変化させた。超音波のエネルギー密度は６５ｍW／ｃｍ２である。なお、超音波のエネルギー密度が３０ｍW／ｃｍ２、１４０ｍW／ｃｍ２、２００ｍW／ｃｍ２の場合も同様の周波数依存性を示した。
実験結果を図６に示す。
【００５１】
周波数が０．５MＨｚ以上、３MＨｚ以下では、空腹時の血糖値が十分に減少し、食事後の血糖値低下も速やかであった。
【００５２】
（検証実験６）
超音波印加手段による踵に対する刺激に関して、超音波のエネルギー密度を３ｍW／ｃｍ２から６５０ｍW／ｃｍ２の間で変化させた。超音波の周波数は１．２MＨｚである。なお、超音波の周波数が０．５MHz、０８MＨｚ、１．９MＨｚ、３MHｚの場合も同様のエネルギー密度依存性を示した。
実験結果を図７に示す。
【００５３】
超音波のエネルギー密度が３０ｍW／ｃｍ２以上、２００ｍW／ｃｍ２以下で良好な血糖値減少を確認できた。特に、食事後に速やかに血糖値が減少した。
以上のように、超音波を用いた場合も、打撃と同程度の血糖値コントロール効果が得られた。
【００５４】
（検証実験７）
交流電流印加手段による踵に対する刺激に関して、交流電流の周波数依存性について実験を行った。電流は踵骨の両側に電流印加パッドを張り付けて電流を印加した。電流の周波数は、０．１Ｈｚから１．５ｋＨｚの間で変化させた。電流値は１０ｍAである。なお、電流値が５ｍA、３０ｍAの場合も同様の周波数依存性を示した。
実験結果を図８に示す。
【００５５】
周波数が０．５Ｈｚ以上、３００Ｈｚ以下では、空腹時の血糖値が減少し、食事後の血糖値低下も比較的速やかであった。
【００５６】
（検証実験８）
交流電流印加手段による踵に対する刺激に関して、電流値を０．１ｍAから１００ｍAの間で変化させた。交流電流の周波数は１２．５Ｈｚである。なお、交流電流の周波数が０．５Hz、２．５Ｈｚ、６２．５Ｈｚ、３００Hｚの場合も同様の電流値依存性を示した。
実験結果を図９に示す。
【００５７】
交流電流の電流値を５ｍA以上、３０ｍA以下で血糖値減少を確認できた。また、食事後に比較的速やかに血糖値が減少した。
以上のように、交流電流を用いた場合、打撃よりもやや程度が小さいものの、血糖値コントロール効果が得られた。
【００５８】
（検証実験９）
電磁場印加手段による踵に対する刺激に関して、電磁場の周波数依存性について実験を行った。電磁場は空芯コイルにより発生させた。周波数は、１Ｈｚから１ｋＨｚの間で変化させた。発生磁場は踵骨付近で１ｍTになるようにした。なお、発生磁場が０．２ｍT、３ｍTの場合も同様の周波数依存性を示した。
実験結果を図１０に示す。
【００５９】
周波数が１０Ｈｚ以上、３００Ｈｚ以下では、空腹時の血糖値が減少し、食事後の血糖値低下も比較的速やかであった。
【００６０】
（検証実験１０）
電磁場印加手段による踵に対する刺激に関して、踵骨付近での発生磁場を０．０１ｍTから１０ｍTの間で変化させた。電磁場の周波数は１００Ｈｚである。なお、電磁場の周波数が１０Hz、３０Ｈｚ、３００Hｚの場合も同様の発生磁場依存性を示した。
実験結果を図１１に示す。
【００６１】
発生磁界が０．２ｍT以上、３ｍT以下で血糖値減少を確認できた。また、食事後に比較的速やかに血糖値が減少した。
以上のように、電磁場を用いた場合も、電流印加と同程度の血糖値コントロール効果が得られた。
【００６２】
＜その他の留意点＞
酵素浴は、1 週間に2&#12316;3 回程度、可能であれば５回程度利&#12132;すれば、さらに血糖値の改善効果は高まる。酵素浴により、内臓が活性化し、内分泌系も復調し、体調が戻るきっかけを作ることができるためを考えている。
【００６３】
身体を活性化する取り組みとしては、運動も有効であり、軽く汗をかく程度の運動を毎日継続することで、打撃手段２ａによる踵叩き等の踵刺激手段の施術効果をさらに高めることができる。
【００６４】
施術に関しては、検証実験１で示したように、踵骨に対する刺激に加えて、ふくらはぎマッサージ手段３によるマッサージや押圧手段２ｂによる腎臓の反射区の押圧を併せて行うことが有効である。施術は、可能であれば食前と食後に行うことで、食後の血糖値上昇が小さくなり、また、速やかに血糖値が低下するようになる。
【００６５】
なお、ふくらはぎマッサージ手段３によるマッサージや押圧手段２ｂによる腎臓の反射区の押圧、および身体活性化の取り組みは、打撃手段２ａによる踵叩きとの併用だけではなく、超音波、交流電流、および交流電磁場の印加による踵骨に対する刺激と併用することでも、効果を高めることができる。
【００６６】
＜その他の効果に関して＞
上述した検証実験がすべて終了した後、踵骨に対する打撃以外の刺激の施術に関して、その他の健康改善がないかを確かめるため、被検査人にアンケート調査を行った。
【００６７】
（アンケートの内容）
以下の各項目について、改善したと感じた項目に丸を付けてください。
１．物忘れ
２．眼精疲労、かすみ目
３．頻尿
４．疲労回復
５．手足や顔等ののむくみ
６．性的欲求（男性のみ回答）
７．肌質（女性のみ回答）
【００６８】
各項目について改善したと回答した人数は以下のとおりである。
１  ３名／６名中
２  ５名／６名中
３  ４名／６名中
４  ２名／６名中
５  ２名／男性３名中
６  ２名／女性３名中
【００６９】
このように、１から７の全ての項目について、改善したと回答した人が複数名いた。
踵骨に対する刺激の施術は、血糖値の低減効果のみならず、１から７の項目についても、改善効果があることが分かった。
【００７０】
＜本実施の形態のまとめ＞
昨今、様々な施術を行うマッサージ機が開発され、広く実用化に至っている。
しかしながら、本発明のマッサージ機は、現行のいずれのマッサージ機とも全く異なる新たな施術を提供するものであり、また、これまで人により行われてきた施術とも全く異なるものである。
この新たな施術により、薬剤等を用いることでしか改善することができなかった症状を、新たなアプローチにより解決できる可能性を示すことができた
以下において、この新たなマッサージ機の持つ優れた効果について述べることで、本発明のまとめとする。
【００７１】
これまでのマッサージ機は、主に土踏まずに刺激を与えるものがほとんどであり、その刺激も振動が主体であった。すなわち、足裏表面に平行な方向の振動を与えるものであった。作用としては、血行を促進し、またツボに刺激を与えるものであった。
【００７２】
本発明は、土踏まずではなく、踵を叩く施術を行うマッサージ機を提供するものである。すなわち、踵に対して略垂直方向に打撃を与えるものである。この打撃力はある程度の強さを持ち、また、その周波数も一定以上の比較的速い上下動である。作用としては、踵骨に衝撃を与えるものである。
踵骨に対する刺激としては、打撃以外に、超音波、交流電流、および交流電磁場の印加も同様に有効であることも確認した。
このように、これまでのマッサージ機とは、施術場所や施術動作、それによる動作や作用、目的が全く異なり、したがって、以下に述べるように、これまでのマッサージ機では得られなかった具体的且つ明確な効果が得られる。
【００７３】
この施術の効果として特筆すべきことは、血糖値を低減できることである。空腹時の血糖値を低下させ、また、食後の血糖値の上昇幅を小さくし、そして、その後の血糖値の低下を速やかにすることができる。
【００７４】
踵骨に対して刺激を与える施術を単独で行うだけでも、有意な血糖値低減効果が得られるが、ふくらはぎのマッサージや、腎臓の反射区の押圧と組み合わせると、さらに効果を高めることができる。
また、施術前に酵素浴等の身体活性化を行うことでも、血糖値低減効果をより顕著にすることが可能である。
【００７５】
さらに、以下の諸症状に関しても、改善効果が得られる可能性を示すことができた。
例えば、物忘れ、眼精疲労やかすみ目、頻尿、疲労回復、手足や顔等ののむくみ、性的欲求、肌質といった諸項目についての改善である。
【００７６】
実施の形態２．
乗用車、電車、航空機といった乗り物に乗車している際に、実施の形態１で述べたようなマッサージ機を用いて施術を施すことも効果的である。長時間に渡り座席でじっとしていると、血流が澱んだりして、気分が悪くなったり、あるいは、エコノミークラス症候群とも呼ばれる肺血栓塞栓症等の要因になることもある。
【００７７】
こういった症状を防止するためには、足を動かすことが大切であるが、狭い座席で足を大きく動かすことは難しいことが多い。しかし、踵を速いピッチで、且つある程度の強さで叩くことで、足の骨に適度な衝撃が与えられ、ジョギングをしているのと同等の効果が得られる。
【００７８】
例えば、図１２に示すように、座席Aの足元にマッサージ機を設置する。マッサージ機は、
底面に設けられた踵を叩く打撃手段２０を備えている。また、ふくらはぎマッサージ手段３０等をさらに備えたものであっても良い。
【００７９】
打撃手段２０だけでも十分な効果が得られるので、狭い乗り物内でも容易に設置できる。打撃手段２０だけであれば、座席足元の床下にわずかなスペースがあれば、床と面一に、あるいは、わずかな出っ張りを持つ程度に埋め込んで設置することも可能である。
なお、打撃手段２０の代わりに、超音波印加手段、交流電流印加手段、あるいは交流電磁場印加手段を設けても良い。
【００８０】
実施の形態３．
実施の形態１においては、繰り返し打撃手段により踵に刺激を与えることで、血糖値の上昇を抑制、あるいは低減できることを示した。
本実施の形態においては、この打撃手段による血糖値抑制効果について、さらに詳細な実験結果について報告する。まず、検証実験１１では、踵に対する打撃角度（叩き角度）と血糖値抑制効果との関係について検証を行った。次に、検証実験１２から１４においては、踵以外の様々な部位に対する打撃刺激と血糖値抑制効果との関係について調べた。
【００８１】
（検証実験１１）
踵に対する打撃角度を変えて、最適な血糖値抑制効果を得られる条件を検証した。図１３に示すように、以下の４つの角度で踵を打撃した。打撃の周波数は２５Ｈｚ、１サイクル当たりの打撃のエネルギー（１サイクル当たりの叩きのエネルギー）は約０．６４Nm（＝０．６４ジュール）である。また、実験方法は実施の形態１の検証実験１と同じ手順で行った。
試験区Ba：足の前方（指側）下方より略４５°の角度で踵を打撃
試験区Bb：実施の形態１と同様に、踵の直下より略垂直方向に踵を打撃
試験区Bc：足の後方（指と反対側）下方より略４５°の角度で踵の後方を打撃
試験区Bd：足の後方（指と反対側）より略平行に踵の後方を打撃
【００８２】
検証実験結果を下表に示す。
【表３】
0006963227.tif 000004
【００８３】
実施の形態１で良好な結果が得られた下方からの垂直打撃（試験区Bｂ）と同様に、試験区Ｂｃでも良好な結果が得られた。
一方、試験区Ｂａ、Ｂｄは、検証実験１のコントロールと比べて有意な血糖値抑制効果が認められた。しかし、試験区ＢｂおよびＢｃに比べると、明らかに効果は小さかった。
以上より、打撃角度は血糖値の抑制に対して大きな影響があり、踵直下からの垂直打撃と、後方（指と反対側）下方より略４５°の角度での踵の後方への打撃とが、良好な効果を示した。
【００８４】
図１４は、踵直下からの垂直打撃（試験区Ｂｂ）において、１サイクル当たりの打撃のエネルギーと血糖値の関係を示している。実施の形態１における検証実験４と同様の趣旨の実験であるが、横軸を打撃力ではなく、打撃のエネルギーとしている。力の測定よりもエネルギーの測定の方が、迅速かつ正確に行えるためである。
打撃の周波数は２５Ｈｚである。なお、周波数が０．８Ｈｚ、２００Ｈｚの場合も同様の打撃エネルギー依存性を示した。
【００８５】
１サイクル当たりの打撃エネルギーが０．３２Ｎｍ以上で良好な血糖値減少を確認できた。
ただし、打撃による被検査人の副作用を調べたところ、１サイクル当たりの打撃エネルギーが４Ｎｍを超えた場合には、被検査人のうち２名が、施術後に軽い足の痛みを訴えた。痛みは直ぐになくなり、正常な状態に回復したが、４Ｎｍを超えるという大きな打撃エネルギーは不必要であり、本実験結果より、実用上の適切な打撃エネルギーは０．３２Ｎｍ以上、４Ｎｍ以下と判断できた。
【００８６】
試験区Ｂｃについても、同様に、１サイクル当たりの打撃のエネルギーと血糖値の関係を調べた。結果を図１５に示す。試験区Ｂｂとほぼ同様の傾向を示している。また、打撃による被検査人の副作用についても同様であり、４Ｎｍを超えると、痛み等の症状が現れる場合があった。
なお、周波数特性については、試験区Ｂｂとまったく同様であった、すなわち、実施の形態１における検証実験３と同様の結果であった。
【００８７】
以上のように、踵直下から垂直打撃だけではなく、踵後方下方から４５°方向の打撃も同様に顕著な血糖値抑制効果があることが分かった。いずれも、実用上の適切な打撃エネルギーは０．３２Ｎｍ以上、４Ｎｍ以下であり、適切な打撃の周波数は、検証実験３と同様に、０．８Hz以上、２００Hz以下であった。
【００８８】
（検証実験１２）
踵以外の足の部位に対する打撃刺激と血糖値抑制効果との関係について調べた。
図１６に示すように、以下の４つの部位を打撃した。打撃の周波数は２５Ｈｚ、１サイクル当たりの打撃のエネルギー（１サイクル当たりの叩きのエネルギー）は約０．６４Nm（＝０．６４ジュール）である。また、実験方法は実施の形態１の検証実験１と同じ手順で行った。
試験区Bｂ：踵を打撃
試験区Bｅ：足裏の前方（指側）を打撃
試験区Bｆ：土踏まずを打撃
試験区Bｇ：足の甲を打撃
【００８９】
検証実験結果を下表に示す。
踵以外の足の部位を打撃しても、ほとんど血糖値抑制の効果は得られなかった。
【表４】
0006963227.tif 000005
【００９０】
（検証実験１３）
手のひらに対する打撃刺激と血糖値抑制効果との関係について調べた。
図１７に示すように、以下の５つの部位を打撃した。打撃の周波数は２５Ｈｚ、１サイクル当たりの打撃のエネルギー（１サイクル当たりの叩きのエネルギー）は約０．６４Nm（＝０．６４ジュール）である。また、実験方法は実施の形態１の検証実験１と同じ手順で行った。
試験区Bｈ：中指の付け根を打撃
試験区Bｉ：手のひらの中央を打撃
試験区Bｊ：手のひらの下方親指側を打撃
試験区Bｋ：手のひらの下方中央（手根骨の中央）を打撃
試験区Ｂｌ：手のひらの下方小指側を打撃
【００９１】
検証実験結果を下表に示す。
手のひらの下部中央への打撃（試験区Ｂｋ）は、血糖値抑制に顕著な効果が確認できたが、それ以外の手のひらの部位への打撃は、効果が小さかった。
【表５】
0006963227.tif 000006
【００９２】
良好な結果が得られた試験区Ｂｋについて、検証実験１１と同様に、１サイクル当たりの打撃のエネルギーと血糖値の関係を調べた。結果を図１８に示す。試験区Ｂｂとほぼ同様の傾向を示している。また、打撃による被検査人の副作用についても同様であり、４Ｎｍを超えると、痛み等の症状が現れる場合があった。
なお、周波数特性については、試験区Ｂｂとまったく同様であった、すなわち、実施の形態１における検証実験３と同様の結果であった。
【００９３】
以上のように、手のひらの下部中央への打撃も顕著な血糖値抑制効果があることが分かった。実用上の適切な打撃エネルギーは０．３２Ｎｍ以上、４Ｎｍ以下であり、適切な打撃の周波数は、検証実験３と同様に、０．８Hz以上、２００Hz以下であった。
【００９４】
（検証実験１４）
顔や肩に対する打撃刺激と血糖値抑制効果との関係について調べた。
図１９に示すように、以下の５つの部位を打撃した。打撃の周波数は２５Ｈｚ、１サイクル当たりの打撃のエネルギー（１サイクル当たりの叩きのエネルギー）は約０．６４Nm（＝０．６４ジュール）である。また、実験方法は実施の形態１の検証実験１と同じ手順で行った。
試験区Bｍ：こめかみを打撃
試験区Bｎ：耳の下（翳風）を打撃
試験区Bｏ：あご（下顎骨）を打撃
試験区Bｐ：肩を打撃
試験区Ｂｑ：額を打撃
【００９５】
検証実験結果を下表に示す。
【表６】
0006963227.tif 000007
【００９６】
耳下方の翳風（試験区Ｂｎ）、あるいは、あご（試験区Ｂｏ）への打撃は、顕著な血糖値抑制効果が得られた。それ以外の部位への打撃は、ほとんど効果が得られなかった。
【００９７】
良好な結果が得られた試験区Ｂｎ、Ｂｏについて、検証実験１１と同様に、１サイクル当たりの打撃のエネルギーと血糖値の関係を調べた。それぞれの結果を図２０、図２１に示す。試験区Ｂｂとほぼ同様の傾向を示している。また、打撃による被検査人の副作用についても同様であり、４Ｎｍを超えると、痛み等の症状が現れる場合があった。
なお、周波数特性については、試験区Ｂｂとまったく同様であった、すなわち、実施の形態１における検証実験３と同様の結果であった。
【００９８】
以上のように、耳下方、およびあごへの打撃も顕著な血糖値抑制効果があることが分かった。実用上の適切な打撃エネルギーは０．３２Ｎｍ以上、４Ｎｍ以下であり、適切な打撃の周波数は、検証実験３と同様に、０．８Hz以上、２００Hz以下であった。
【００９９】
実施の形態４．
測定技術の進歩に伴い、CGM（Continuous Glucose Monitoringの略）、あるいは、FGM（Flash Glucose Monitoringの略）と呼ばれる血中グルコース濃度のリアルタイム測定器が一般に利用可能となった。両者とも専用のセンサーを皮膚に取り付けることで皮下の間質液中のグルコース値を持続的に測定できる。さらに、赤外線レーザーを用いた非接触のグルコース濃度測定技術の実用化も近い。測定される血中グルコース濃度は、血糖値とほぼ対応しており、事実上、血糖値のリアルタイム測定が可能となっている。
これらのリアルタイム測定機器から得られるリアルタイムなグルコース濃度データを、本発明の施術装置と連携させることで、以下のような利点が得られる。
【０１００】
Ａ．過度な低血糖症状の防止
本発明の施術は、顕著な血糖値低減効果を有し、また、施術後、直ちに効果が表れるため、施術のやりすぎにより、めまいや立ち眩み、失神等の過度な低血糖症状に陥る危険性がある。それを防止するために、グルコース濃度が所定値以下にならないように監視することにより、施術のやりすぎを抑制することができる。
【０１０１】
B．食事量に応じた食後の施術時間等の最適化
食事量や食事の種類によって、食後の血糖値上昇は異なる。血中グルコース濃度のリアルタイム測定器を用いて食後の血糖値変化を計測し、その血糖値変化によって、本発明の血糖値コントロール用マッサージ機を用いて必要な施術を行う。例えば、食事量が通常よりも多く、食後の血糖値低下が不十分な場合には、施術を繰り返し行ったり、施術時間を延長したりする等の判断を行うためのアルゴリズムを持つアプリケーション等と組み合わせることにより、効果的な施術を行うためのシステムの構築が可能である。
【０１０２】
C．個々人に最適された施術プログラムの提供
血中グルコース濃度のリアルタイム測定器から得られる日々の血中グルコース濃度の変化から、最適な施術を導き出すAIシステムを構築し、個々人に合った施術プログラムを提供する。
【０１０３】
以上は一例であるが、血中グルコース濃度のリアルタイム測定器と組み合わせることで、本発明の血糖値コントロール用マッサージ機をより効果的且つ安全に使用することが可能となる。
【０１０４】
＜本発明のまとめ＞
本発明は、血糖値の上昇を抑制したり、低減したりする血糖値のコントロールを目的とする血糖値コントロール用マッサージ機に関するものである。
踵、下顎骨、耳下部の翳風、あるいは、手のひら下方中央の手根骨のうちのいずれかの部位を繰り返し叩く打撃手段が、空腹時の血糖値を低減させ、且つ、食事後の血糖値の上昇を抑制するとともに、速やかな低減を生じさせる効果を有することを検証実験により確認した。この効果は顕著なものであり、これまでのマッサージで得られる効用とは明白に異なるものである。
【０１０５】
また、この効果は、刺激を与える部位、強さ、および周波数に大きく依存し、最適な条件を選ぶことが必要である。
【０１０６】
なお、踵に対しては、繰り返し打撃以外に、超音波や電流、さらには電磁場刺激も有効であることを示した。
【符号の説明】
【０１０７】
１  足挿入部
２  足裏マッサージ部
２ａ  踵打撃手段（踵骨を刺激する踵刺激手段の一例）
２ｂ  土踏まず押圧手段
３  ふくらはぎマッサージ部
【要約】      （修正有）【課題】適切な部位に適切な刺激を与えることにより、血糖値の上昇を抑制することができるマッサージ機を提供する。【解決手段】踵骨を叩くことで刺激を与える繰り返し打撃手段を有し、繰り返し打撃手段の１サイクル当たりの打撃のエネルギーは、０．３２Nm以上、且つ、４Nm以下である構成とし、また踵骨に超音波を印加することで刺激を与える超音波印加手段を有し、超音波印加手段の超音波のエネルギー密度は３０ｍW／ｃｍ２以上、且つ、２００ｍW／ｃｍ２以下である構成とする。【選択図】図１【図１】
0006963227.tif 000008
【図２】
0006963227.tif 000009
【図３】
0006963227.tif 000010
【図４】
0006963227.tif 000011
【図５】
0006963227.tif 000012
【図６】
0006963227.tif 000013
【図７】
0006963227.tif 000014
【図８】
0006963227.tif 000015
【図９】
0006963227.tif 000016
【図１０】
0006963227.tif 000017
【図１１】
0006963227.tif 000018
【図１２】
0006963227.tif 000019
【図１３】
0006963227.tif 000020
【図１４】
0006963227.tif 000021
【図１５】
0006963227.tif 000022
【図１６】
0006963227.tif 000023
【図１７】
0006963227.tif 000024
【図１８】
0006963227.tif 000025
【図１９】
0006963227.tif 000026
【図２０】
0006963227.tif 000027
【図２１】
0006963227.tif 000028